(57)【要約】【課題】比較的小さな力で開閉操作ができ、必要な挟持作用部の拡開量を確保し得る小型で使い勝手と保管性に優れるピンチを提供する。【解決手段】本発明のピンチ１は、挟持対象物Ｗを挟持して吊下げ部Ｐに吊り下げたり保持したりする場合に使用するピンチであって、一端に挟持作用部３、他端に開閉操作部５を有し、中間部の内方に凸状回動部７と凹状回動部９を備える一対のピンチ片１１、１３と、該一対のピンチ片１１、１３を対向して配置することで、凸状回動部７先端の凸面１５と凹状回動部９の凹面１７とを摺接させた状態で係合することで形成される連結用回動部１９と、一対の挟持作用部３、３を挟持方向Ｃに付勢する挟持ばね２１と、を具備し、上記凸面１５と凹面１７とが摺接する回転円２３の半径Ｒを大きくし、回転円２３の回転中心Ｏの位置を挟持作用部３側に偏倚させるように構成されている。【選択図】  図２
2017153832.tif 000002
【特許請求の範囲】
【請求項１】
挟持対象物を挟持して吊下げ部に吊り下げたり保持したりする場合に使用するピンチであって、
一端に挟持作用部、他端に開閉操作部を有し、中間部の内方に凸状回動部と凹状回動部を備える一対のピンチ片と、
上記一対のピンチ片を対向して配置することで、上記凸状回動部先端の凸面と上記凹状回動部の凹面とを摺接させた状態で係合することで形成される連結用回動部と、
上記一対の挟持作用部を挟持方向に付勢する挟持ばねと、具備し、
上記凸面と凹面とが摺接することによって形成される回転円の半径を大きくすると共に、該回転円の半径が大きくなった分、回転円の回転中心の位置を上記挟持作用部側に偏倚させたことを特徴とするピンチ。
【請求項２】
上記凹面を、上記ピンチ片の回動範囲に対応した所定長さの摺接面によって形成し、
一方、上記凸面を、上記凹面の一部のみに摺接する所定範囲の摺接面によって形成したことを特徴とする請求項１記載のピンチ。
【請求項３】
上記凸状回動部は、上記所定範囲の摺接面によって形成される凸面と、該凸面を支持するのに必要な支持構造のみを有し、該支持構造の前方空間は上記挟持作用部側にかけて開放されていることを特徴とする請求項２記載のピンチ。
【請求項４】
上記凹面は、上記回転円の円周と一致する円弧面によって形成されていることを特徴とする請求項２または３記載のピンチ。
【請求項５】
上記凹面は、上記回転円の円周に近似する曲面または、屈曲した傾斜面によって形成されていることを特徴とする請求項２または３記載のピンチ。
【請求項６】
上記一対のピンチ片の開閉操作部は、ピンチ片の他の部位に比べて幅広に形成されていることを特徴とする請求項１〜５のいずれかに記載のピンチ。
【請求項７】
上記一対のピンチ片には、一端に設けられる挟持作用部に加えて、上記連結用回動部と挟持作用部との間に、上記挟持作用部の挟持対象物とは異なる他の挟持対象物を挟持するための第２挟持作用部が設けられていることを特徴とする請求項１〜６のいずれかに記載のピンチ。
【発明の詳細な説明】
【技術分野】
【０００１】
本発明は、洗濯物やマット或いは布団等を物干し竿や物干し具或いはベランダの手すり等に吊り下げる場合等に使用するピンチに係り、特に軽い力で挟持作用部を開くことができるようにしたものに関する。
【背景技術】
【０００２】
従来から例えば下記の特許文献１〜３に示すように、種々の物干し用ピンチが提案されている。特許文献１に開示されている物干し用ピンチは、いわゆる洗濯ばさみと呼ばれているタイプの比較的小型の物干し用ピンチで、開閉操作部に滑り止め用の球面状の突起を設けたことを特徴としている。
特許文献２に開示されている物干し用ピンチも上記特許文献１と同様、洗濯ばさみタイ
プの物干し用ピンチで、針金ハンガー装着用の溝を連結用回動部に設けたことを特徴としている。また、特許文献３に開示されている物干し用ピンチは、物干し竿等を挟持するＹ型（ないしＵ型）のポールピンチと呼ばれているタイプの少し大型の物干し用ピンチで、二股になった挟持片の各々に内外に貫通するハンガー吊下げ用の凹型溝部を設けたことを特徴としている。
【０００３】
そして、これらの物干し用ピンチ１０１には、共通して図３０に示すような連結用回動部１０３の構造が採用されている。即ち、従来の物干し用ピンチ１０１には、図３０（ｂ）に拡大して示すような連結用回動部１０３の構造が採用されており、該連結用回動部１０３には、対抗する一対のピンチ片１０５、１０７の一方のピンチ片１０５、１０７から他方のピンチ片１０７、１０５に向けて突出する凸状回動部１０９と該凸状回動部１０９と係合して回動する凹状回動部１１１と、がそれぞれ設けられている。
【０００４】
また、上記凸状回動部１０９の先端部には円弧上の凸面１１３が形成されており、上記凹状回動部１１１には、上記凸面１１３と摺接する上記凸面１１３とほぼ同じ曲率の凹面１１５が形成されている。
従って、上記一対のピンチ片１０５、１０７は、それぞれの開閉操作部１１７に対して接近方向の力Ｆを加えることによって、挟持ばね１１９の挟持方向Ｃの付勢力に抗して一対のピンチ片１０５、１０７は、上記凸面１１３と凹面１１５とが摺接することによって形成される回転円１２１の中心を回転中心Ｏとして、それぞれの挟持作用部１２３を拡開方向Ｄに所定の拡開量Ｅだけ拡開できるように構成されている。
【先行技術文献】
【特許文献】
【０００５】
【特許文献１】特開２０００−１１６９８８号公報
【特許文献２】特開２００２−２８２５９１号公報
【特許文献３】特開２００４−１６０１２４号公報
【発明の概要】
【発明が解決しようとする課題】
【０００６】
一方、上記物干し用ピンチ１０１を操作するには指先に相応の大きな力を必要とする。従って、指先の力が弱いお年寄りや子供、リュウマチ等の疾患を持っている人や身体障害者或いは毎日、物干し作業を繰り返し頻繁に行っている女性等にとっては、物干し用ピンチ１０１の上記操作は極めて負担を強いられる作業となっていた。
この場合、図３１に示すように回転中心Ｏの位置を挟持作用部１２３寄りの位置Ｏ１に例えば所定量Ｇ、移動させれば、当該回転中心Ｏ１から開閉操作部１１７までの長さＬがＬ１になって長くなるため、比較的小さな力Ｆで物干し用ピンチ１０１を操作できるようになる。
【０００７】
しかし、図３１中、仮想線で示すように一対のピンチ片１０５、１０７のそれぞれの挟持作用部１２３の拡開量ＥがＥ１になって小さくなるため、挟持作用部１２３で挟むことのできる物の大きさが制限されて逆に使い勝手の悪い物干し用ピンチ１０１になってしまう。
また、回転中心Ｏの位置をそのままにして回転中心Ｏから開閉操作部１２１までの長さＬのみを長くすることも考えられる。しかし、この場合、物干し用ピンチ１０１全体が大型になって樹脂量が増えコスト高の物干し用ピンチ１０１になってしまう。
【０００８】
本発明はこのような点に基づいてなされたものでその目的とするところは、比較的小さな力で開閉操作ができ、必要な挟持作用部の拡開量を確保し得る小型で使い勝手と保管性に優れるピンチを提供することにある。
【課題を解決するための手段】
【０００９】
上記目的を達すべく本発明の請求項１によるピンチは、挟持対象物を挟持して吊下げ部に吊り下げたり保持したりする場合に使用するピンチであって、一端に挟持作用部、他端に開閉操作部を有し、中間部の内方に凸状回動部と凹状回動部を備える一対のピンチ片と、上記一対のピンチ片を対向して配置することで、上記凸状回動部先端の凸面と上記凹状回動部の凹面とを摺接させた状態で係合することで形成される連結用回動部と、上記一対の挟持作用部を挟持方向に付勢する挟持ばねと、を具備し、上記凸面と凹面とが摺接することによって形成される回転円の半径を大きくすると共に、該回転円の半径が大きくなった分、回転円の回転中心の位置を上記挟持作用部側に偏倚させたことを特徴とするものである。
【００１０】
また、請求項２によるピンチは、請求項１記載のピンチにおいて、上記凹面を、上記ピンチ片の回動範囲に対応した所定長さの摺接面によって形成し、一方、上記凸面を、上記凹面の一部のみに摺接する所定範囲の摺接面によって形成したことを特徴とするものである。
【００１１】
また、請求項３によるピンチは、請求項２記載のピンチにおいて、上記凸状回動部は、上記所定範囲の摺接面によって形成される凸面と、該凸面を支持するのに必要な支持構造のみを有し、該支持構造の前方空間は上記挟持作用部側にかけて開放されていることを特徴とするものである。
【００１２】
また、請求項４によるピンチは、請求項２または３記載のピンチにおいて、上記凹面は、上記回転円の円周と一致する円弧面によって形成されていることを特徴とするものである。
【００１３】
また、請求項５によるピンチは、請求項２または３記載のピンチにおいて、上記凹面は、上記回転円の円周に近似する曲面または、屈曲した傾斜面によって形成されていることを特徴とするものである。
【００１４】
また、請求項６によるピンチは、請求項１〜５のいずれかに記載のピンチにおいて、上記一対のピンチ片の開閉操作部は、ピンチ片の他の部位に比べて幅広に形成されていることを特徴とするものである。
【００１５】
また、請求項７によるピンチは、請求項１〜６いずれかに記載のピンチにおいて、上記一対のピンチ片には、一端に設けられる挟持作用部に加えて、上記連結用回動部と挟持作用部との間に、上記挟持作用部の挟持対象物とは異なる他の挟持対象物を挟持するための第２挟持作用部が設けられていることを特徴とするものである。
【発明の効果】
【００１６】
そして、上記手段によって以下のような効果が得られる。即ち、本発明によるピンチによると、回転円の半径を大きくして回転円の回転中心の位置を挟持作用部側に偏倚させた位置に設定しているから、回転中心から開閉操作部までの長さが長くなり、当該長くなった分だけピンチを拡開する際に開閉操作部にかける力を小さくすることができ、挟持作用部の必要な掴みしろも維持できるから小型で使い勝手と保管性に優れるピンチを提供することが可能になる。
【００１７】
また、上記凹面を上記ピンチ片の回動範囲に対応した所定長さの摺接面によって形成し、上記凸面を、上記凹面の一部のみに摺接する、所定範囲の摺接面によって形成した場合には、接触する凹面と凸面との接触角と接触抵抗が小さくなるから、ピンチを拡開する際の開閉操作部にかける力をより小さくすることが可能になる。
【００１８】
また、上記凸状回動片を、上記凸面と該凸面を支持するのに必要な厚さの支持構造のみ
によって構成し、該支持構造の前方空間を開放させるように構成した場合には、該支持構造の前方に挟持対象物を掴むための掴みしろが大きく形成されるようになって使い勝手が向上する。
【００１９】
また、上記凹面を回転円の円周と一致する円弧面によって形成した場合には、一対のピンチ片の回動動作が円滑になり開閉操作部にかける力を更に小さくすることができる。
また、上記凹面を回転円の円周に近似する曲面または屈曲した傾斜面によって形成した場合には、凹面を円弧面によって形成した場合と同様の動きを一対のピンチ片に持たせることができ、凹面の成形を容易にする等の効果が得られるようになる。
【００２０】
また、一対のピンチ片の開閉操作部を、ピンチ片の他の部位に比べて幅広に形成した場合には、開閉操作部に指をかけ易くなってピンチの操作性が向上する。
【００２１】
また、一対のピンチ片に対して、上記挟持作用部に加えて異なる他の挟持対象物を挟持するための第２挟持作用部を設けた場合には、挟持できる挟持対象物の種類が増えてピンチの使い勝手が一層向上する。
【図面の簡単な説明】
【００２２】
【図１】本発明の第１の実施の形態を示す図で、物干し用ピンチを示す斜視図である。
【図２】本発明の第１の実施の形態を示す図で、物干し用ピンチを示す側面図である。
【図３】本発明の第１の実施の形態を示す図で、物干し用ピンチを示す平面図である。
【図４】本発明の第１の実施の形態を示す図で、物干し用ピンチを示す図２中のＡ―Ａ断面図である。
【図５】本発明の第１の実施の形態を示す図で、物干し用ピンチを示す図３中のＢ−Ｂ断面図である。
【図６】本発明の第１の実施の形態を示す図で、物干し用ピンチを示す図３中のＣ−Ｃ断面図である。
【図７】本発明の第１の実施の形態を示す図で、物干し用ピンチを示す図３中のＤ−Ｄ断面図である。
【図８】本発明の第２の実施の形態を示す図で、物干し用ピンチを示す斜視図である。
【図９】本発明の第２の実施の形態を示す図で、物干し用ピンチを示す側面図である。
【図１０】本発明の第２の実施の形態を示す図で、物干し用ピンチを示す平面図である。
【図１１】本発明の第２の実施の形態を示す図で、物干し用ピンチを示す背面図である。
【図１２】本発明の第２の実施の形態を示す図で、物干し用ピンチを示す図１０中のＡ−Ａ断面図である。
【図１３】本発明の第２の実施の形態を示す図で、物干し用ピンチを示す図１０中のＢ−Ｂ断面図である。
【図１４】本発明の第２の実施の形態を示す図で、物干し用ピンチを示す図１０中のＣ−Ｃ断面図である。
【図１５】本発明の第３の実施の形態を示す図で、物干し用ピンチを示す斜視図である。
【図１６】本発明の第３の実施の形態を示す図で、物干し用ピンチを示す側面図である。
【図１７】本発明の第３の実施の形態を示す図で、物干し用ピンチを示す平面図である。
【図１８】本発明の第３の実施の形態を示す図で、物干し用ピンチを示す背面図である。
【図１９】本発明の第３の実施の形態を示す図で、物干し用ピンチを示す図１７中のＡ―Ａ断面図である。
【図２０】本発明の第３の実施の形態を示す図で、物干し用ピンチを示す図１７中のＢ−Ｂ断面図である。
【図２１】本発明の第３の実施の形態を示す図で、物干し用ピンチを示す図１７中のＣ−Ｃ断面図である。
【図２２】本発明の第４の実施の形態を示す図で、物干し用ピンチを示す斜視図である。
【図２３】本発明の第４の実施の形態を示す図で、物干し用ピンチを示す側面図である。
【図２４】本発明の第４の実施の形態を示す図で、物干し用ピンチを示す平面図である。
【図２５】本発明の第４の実施の形態を示す図で、物干し用ピンチを示す背面図である。
【図２６】本発明の第４の実施の形態を示す図で、物干し用ピンチを示す図２４中のＡ―Ａ断面図である。
【図２７】本発明の第４の実施の形態を示す図で、物干し用ピンチを示す図２４中のＢ−Ｂ断面図である。
【図２８】本発明の第４の実施の形態を示す図で、物干し用ピンチを示す図２４中のＣ−Ｃ断面図である。
【図２９】本発明の他の実施の形態を示す図で、物干し用ピンチを示す側面図である。
【図３０】従来例を示す図で、物干し用ピンチを示す側面図（ａ）と連結用回動部の拡大図（ｂ）である。
【図３１】仮想例を示す図で、物干し用ピンチを示す側面図である。
【発明を実施するための形態】
【００２３】
以下、図１〜図７に示す第１の実施の形態と、図８〜図１４に示す第２の実施の形態と、図１５〜図２１に示す第３の実施の形態と、図２２〜図２８に示す第４の実施の形態の４つの実施の形態を例にとって、本発明のピンチの構成と作動態様について説明する。
尚、本発明のピンチは物干し用のものについて説明するが、これに限られるものではなく、例えば紙止めクリップなどの文房具用や袋止めクリップなどの料理用具用等の種々の用途に使用される場合も含まれる。
また、以下の説明では図１〜図７に示す第１の実施の形態を例にとって本発明の物干し用ピンチの構成と作動態様を具体的に説明し、第２の実施の形態、第３の実施の形態及び第４の実施の形態については第１の実施の形態または第2の実施の形態との相違点を中心に説明する。
【００２４】
（１）第１の実施の形態（図１〜図７参照）
本発明の物干し用ピンチ１は、挟持対象物Ｗを挟持して吊下げ部Ｐに吊り下げる場合に
使用する物干し用ピンチであって、一端に挟持作用部３、他端に開閉操作部５を有し、中間部の内方に凸状回動部７と凹状回動部９を備える一対のピンチ片１１、１３と、該一対のピンチ片１１、１３を対向して配置することで、上記凸状回動部７の先端の凸面１５と、上記凹状回動部９の凹面１７とを摺接させた状態で係合することで形成される連結用回動部１９と、上記一対の挟持作用部３、３を挟持方向Ｃに付勢する挟持ばね２１と、を具備することによって基本的に構成されている。
そして、上記凸面１５と凹面１７とが摺接することによって形成される回転円２３の半径Ｒを大きくすると共に、該回転円２３の半径Ｒが大きくなった分、回転円２３の回転中心Ｏの位置を上記挟持作用部３側に偏倚させたことを特徴としている。
【００２５】
本実施の形態では、ランドリーピンチ等と呼ばれているいわゆる洗濯ばさみタイプの小型の物干し用ピンチ１Ａを示している。従って、本実施の形態では挟持対象物Ｗは洗濯物、吊下げ部Ｐは物干し竿や物干し具等となる。
一対のピンチ片１１、１３は、同一形状のピンチ片からなり、一端側に挟持対象物Ｗを直接挟持する挟持作用部３が設けられている。また、挟持作用部３には挟持対象物Ｗの挟持を確実にするための一例として山形及び谷形をした凹凸係合構造２５が形成されている。
【００２６】
一対のピンチ片１１、１３の他端側には、該ピンチ片１１、１３の他の部位に比べて幅広に形成された開閉操作部５が設けられている。開閉操作部５は、物干し用ピンチ１Ａを拡開する際、指を掛けて力Ｆを加える部位であり、開閉操作部５の平面形状は、図３に示すように幅方向に長い楕円形ないし銀杏の葉様に一例として形成されている。
また、ピンチ片１１、１３の厚さは中間部で厚く、一端の挟持作用部３側及び他端の開閉操作部５側に行くに従って徐々に薄くなるように一例として形成されている。また、ピンチ片１１、１３の幅方向の中心には後述する挟持ばね２１を通すスリット２７と該挟持ばね２１の端部を係止する係止穴２９とが設けられている。
【００２７】
対向して配置されるピンチ片１１、１３の中間部の内方には、対向する他のピンチ片１３、１１の凹状回動部９に向けて突出する凸状回動部７と、他のピンチ１３、１１から
突出する凸状回動部７と係合する凹状回動部９がそれぞれ一組ずつ設けられており、図４に示すように、これら一組の凸状回動部７と凹状回動部９は、幅方向の左右で互い違いに組み合わさることによって連結用回動部１９を構成している。
また、上記凹状回動部９の凹面１７は、ピンチ片１１、１３の回動範囲に対応した所定長さの摺接面によって形成されており、本実施の形態では凹面１７と凸面１５とが摺接する軌跡を通る回転円２３の円周と一致する円弧面によって一例として形成されている。一方、上記凸面１５は、上記凹面１７の摺接方向の一部の範囲のみに摺接する摺接面によって形成されている。
【００２８】
また、本実施の形態では、上記凸状回動部７は、上記所定範囲の摺接面によって形成される一例として曲面状の凸面１５と、該凸面１５を支持するのに必要な一例として湾曲したアーム状の支持構造３１のみを有し、該支持構造３１の前方空間Ｓは挟持作用部３側にかけて開放された広い空間になっている。
また、上記スリット２７を通って上記係止穴２９に端部が係止される挟持ばね２１は、本実施の形態では図５に示すように端部が切り離された側面視Ｃ字形の円形のリングばねによって構成されており、一対の挟持作用部３、３を挟持方向Ｃに付勢する付勢力を常時付与している。
【００２９】
そして、本実施の形態では上記凸面１５と凹面１７とが摺接することによって形成される回転円２３の半径Ｒを図３０に示す従来の物干し用ピンチ１０１に比べて大きくなるように設定しており、該回転円２３の半径Ｒが大きくなった分、回転円２３の回転中心Ｏの位置を挟持作用部３側に所定量Ｇ、偏倚させている。
【００３０】
このようにして構成される物干し用ピンチ１を使用する場合には、対向する開閉操作部５、５に指を掛け、両開閉操作部５、５を接近させる方向に挟持ばね２１の付勢力に抗して力Ｆを加える。
これにより、一対のピンチ片１１、１３は、連結用回動部１９の回転円２３の中心を回転中心Ｏとして対向する挟持作用部３、３を離間させる拡開方向Ｄに回動を開始し、該挟持作用部３、３の十分な拡開量Ｅが得られたところで上記凸状回動部７の前方空間Ｓに挟持対象物Ｗを進入させ、対向する開閉操作部５、５から指を離せば物干し用ピンチ１Ａによる挟持対象物Ｗの挟持が完了する。また、上記挟持ばね２１と、吊下げ部Ｐとなる物干し竿や物干し具との間には、予め紐やチェーン等の連結具３３が取り付けられており、該連結具３３を利用して本実施の形態による物干し用ピンチ１Ａは吊下げ部Ｐに対して吊り下げられる。
【００３１】
そして、このようにして構成される本実施の形態による物干し用ピンチ１Ａによれば、回転中心Ｏから開閉操作部５までの長さＬが長くなり、当該長くなった分だけ物干し用ピンチ１Ａを拡開する際に開閉操作部５にかける力Ｆを小さくすることができ、挟持作用部３の必要な拡開量Ｅも維持できるから小型で使い勝手と保管性に優れる物干し用ピンチ１Ａを提供することが可能になる。
【００３２】
（２）第２の実施の形態（図８〜図１４参照）
本実施の形態では、ポールピンチと呼ばれている物干し竿等の吊下げ部Ｐを挟持対象物
Ｗといっしょに挟持できる少し大型の物干し用ピンチ１Ｂを示している。
この物干し用ピンチ１Ｂも、基本的には前述した第１の実施の形態による物干し用ピンチ１Ａと同様の構成を有しており、連結用回動部１９前方の掴みしろを大きく取り、上記挟持作用部３に加えて他の挟持対象物Ｗ１、Ｗ２を挟持するための第２挟持作用部３５を設けた点と、凸状回動部７の形状を一部異らせた点で前記第１の実施の形態と相違している。
【００３３】
従って、ここでは前記第１の実施の形態と同様の構成については説明を省略し、前記第１の実施の形態と相違する本実施の形態による物干し用ピンチ１Ｂの特有の構成とその作動態様を中心に説明する。
先ず、本実施の形態では、連結用回動部１９の前方のピンチ片１１、１３の形状が前方に大きく張り出し、内方に大きな前方空間Ｓが形成される湾曲したアーム形状に形成されている。そして、当該湾曲したアーム形状に形成された部分の内方には、外方に張り出すように大きく湾曲した第１凹部３７と、外方に向けて凹陥された小さな第２凹部３９と、が設けられている。
【００３４】
このうち、第１凹部３７は、物干し竿等のポールを挟持対象物Ｗ１として掴むために使用される凹部であり、一方、第２凹部３９は、水平に架け渡されたロープ等を挟持対象物Ｗ２として掴むために使用される凹部である。
そして、上記第１凹部３７と第２凹部３９は、上述した一対のピンチ片１１、１３の一端に設けられている挟持作用部３と同様、挟持作用部として機能し、上記挟持作用部３が洗濯物やマット等のみを挟持対象物Ｗとしているのに対して、これらの挟持対象物Ｗと共にこれらとは異なる他の挟持対象物Ｗ１、Ｗ２を挟持するための第２挟持作用部３５として機能するように構成されている。
【００３５】
また、本実施の形態では前記第１の実施の形態よりも幾分大きな挟持力を必要とするため、その挟持力に耐えられるように、凸状回動部７の基端部の厚さを大きく取った台座４０の上に側面視山形の支持構造４１を設けた構成が採用されている。
尚、本実施の形態では、予め連結用回動部１９の前方空間Ｓを大きくし、掴みしろを大きく取った構成が採用されており、上記第１凹部３７と第２凹部３９によってそれぞれの挟持対象物Ｗ１、Ｗ２の挟持スペースが確保されているため、前述した第１の実施の形態において採用した支持構造３１の厚さを薄くすることで連結用回動部１９の前方空間Ｓを拡大した構成は採用されていない。
【００３６】
そして、このようにして構成される本実施の形態による物干し用ピンチ１Ｂを使用する場合には、物干し竿等のポールを挟持対象物Ｗ１として取り付ける場合には、対向する開閉操作部５、５に接近方向の力Ｆを加えて挟持作用部３を大きく開き、洗濯物やマット等によって構成される挟持対象物Ｗを上記物干し竿等のポールによって構成される挟持対象物Ｗ１と共に上記第１凹部３７の内方空間に至らせ、開閉操作部５に力Ｆを加えていた指を離すことによって対向する第１凹部３７、３７間に挟持させる。
一方、ロープ等を挟持対象物Ｗ２として物干し用ピンチ１Ｂを取り付ける場合には、同じく対向する開閉操作部５、５に接近方向の力Ｆを加えて挟持作用部３を少し開き、洗濯物やマット等によって構成される挟持対象物Ｗを上記ロープ等の挟持対象物Ｗ２と共に上記第２凹部３９の内方空間に至らせ、開閉操作部５に力Ｆを加えていた指を離すことによって対向する第２凹部３９、３９間に挟持させる。
【００３７】
尚、前記第１の実施の形態と同様、洗濯物やマット等によって構成される挟持対象物Ｗのみを挟持する場合には、一対のピンチ片１１、１３の一端に設けられる挟持作用部３のみを使用してこれらの挟持対象物Ｗを挟持するようにする。
そして、このようにして構成される本実施の形態による物干し用ピンチ１Ｂによっても、前述した第１の実施の形態による物干し用ピンチ１Ａと同様の作用、効果が発揮されて、物干し用ピンチ１Ｂを拡開する際の力Ｆを小さくすることができ、挟持作用部３の必要な拡開量Ｅが維持できる使い勝手の良い物干し用ピンチ１Ｂを提供することが可能になる。
【００３８】
（３）第３の実施の形態（図１５〜図２１参照）
本実施の形態ではＹ型ないしＵ型の二股になったポールピンチと呼ばれている物干し竿等の吊下げ部Ｐを挟持対象物Ｗといっしょに挟持できる少し大型の物干し用ピンチ１Ｃを示している。
この物干し用ピンチ１Ｃは、基本的には前述した第２の実施の形態による物干し用ピンチ１Ｂと同様の構成を有しており、連結用回動部１９前方のピンチ片１１、１３の部分を前方に加えて幅方向にも拡大して掴みしろを大きく取った構成の物干し用ピンチになっている。
【００３９】
従って、ここでは前記第２の実施の形態と同様の構成については説明を省略し、前記第２の実施の形態と相違する本実施の形態による物干し用ピンチ１Ｃの特有の構成とその作動態様を中心に説明する。
即ち、本実施の形態では、連結用回動部１９前方のピンチ片１１、１３がＹ字状ないしＵ字状に二股に枝分かれしており、枝分かれしたそれぞれのアーム４３、４５に前述した第２の実施の形態による物干し用ピンチ１Ｂに設けられていたのと同様の第２挟持作用部３５として機能する第１凹部３７と第２凹部３９とが設けられている。
【００４０】
このようにして構成される本実施の形態による物干し用ピンチ１Ｃを使用する場合には、前述した第２の実施の形態で述べた使用手順がそのまま適用でき、前述したポール等の挟持対象物Ｗ１と洗濯物等の挟持対象物Ｗに対する挟持と、ロープ等の挟持対象物Ｗ２と洗濯物等の挟持対象物Ｗに対する挟持と、洗濯物等の挟持対象物Ｗのみに対する挟持の三態様の挟持が可能になる。
そして、本実施の形態による物干し用ピンチ１Ｃによっても、前述した第２の実施の形態による物干し用ピンチ１Ｂと同様の作用、効果が発揮でき、更に本実施の形態では、上述した各挟持対象物Ｗ、Ｗ１、Ｗ２の幅方向の挟持点を２倍に拡大できるから、挟持力が向上して、より確実な挟持が可能で物干し竿等の吊下げ部Ｐに対する軸方向の位置ずれのおそれの少ない物干し用ピンチを提供できるようになる。
【００４１】
（４）第４の実施の形態（図２２〜図２８参照）
本実施の形態では、ベランダピンチと呼ばれているベランダ等の手すりを吊下げ部Ｐとして、挟持対象物Ｗといっしょに挟持できる大型の物干し用ピンチ１Ｄを示している。
この物干し用ピンチ１Ｄも、基本的には前述した第１の実施の形態による物干し用ピンチ１Ａと同様の構成を有しており、連結用回動部１９前方の掴みしろを大きく取り、上記挟持作用部３に加えて他の挟持対象物Ｗ１を挟持するための第２挟持作用部３５を設けた点と、凸状回動部７の形状を一部異らせた点で前記第１の実施の形態と相違している。
【００４２】
従って、ここでは前記第１の実施の形態と同様の構成については説明を省略し、前記第１の実施の形態と相違する本実施の形態による物干し用ピンチ１Ｄの特有の構成とその作動態様を中心に説明する。
即ち、本実施の形態では、連結用回動部１９の前方のピンチ片１１、１３の形状が前方と厚さ方向に大きく張り出し、内方に大きな前方空間Ｓが形成される楕円様の湾曲したアーム形状に形成されている。そして、当該湾曲したアーム形状に形成された部分の内方には、外方に張り出すように大きく湾曲した凹陥部４７が設けられている。
【００４３】
この凹陥部４７は、ベランダ等の手すりを挟持対象物Ｗ１として掴むために使用される凹部である。そして、この凹陥部４７は、上述した一対のピンチ片１１、１３の一端に設けられている挟持作用部３と同様、挟持作用部として機能し、上記挟持作用部３がマットや毛布或いは布団等のみを挟持対象物Ｗとしているのに対して、これらの挟持対象物Ｗと共にこれらと異なる他の挟持対象物Ｗ１を挟持するための第２挟持作用部３５として機能するように構成されている。
【００４４】
また、本実施の形態では前記第１の実施の形態よりも大きな挟持力を必要とするため、その挟持力に耐えられるように、凸状回動部７の基端部の厚さを大きく取った台座５０の上に側面視直角三角形状の支持構造５１を設けた構成が採用されている。
尚、本実施の形態でも、前記第２の実施の形態と同様、予め連結用回動部１９の前方空間Ｓを大きくし、掴みしろを大きく取った構成が採用されていて、上記凹部４７によって挟持対象物Ｗ１の挟持スペースが確保されているため、前述した第１の実施の形態において採用した支持構造３１の厚さを薄くすることで連結用回動部の前方空間Ｓを拡大した構成は採用されていない。
【００４５】
そして、このようにして構成される本実施の形態により物干し用ピンチ１Ｄを使用する場合には、ベランダ等の手すりを挟持対象物Ｗ１として取り付ける場合には、対向する開閉操作部５、５に接近方向の力Ｆを加えて挟持作用部３を大きく開き、マットや毛布或いは布団等によって構成される挟持対象物Ｗを上記ベランダの手すり等によって構成される挟持対象物Ｗ１と共に上記凹陥部４７の内方空間に至らせ、開閉操作部５に力Ｆを加えていた指を離すことによって対向する凹陥部４７、４７間に挟持させる。
【００４６】
尚、前記第１の実施の形態と同様、マットや毛布或いは布団等によって構成される挟持対象物Ｗのみを挟持する場合には、一対のピンチ片１１、１３の一端に設けられる挟持作用部３のみを使用してこれらの挟持対象物Ｗを挟持するようにする。
そして、このようにして構成される本実施形態による物干し用ピンチ１Ｄによっても、前述した第１の実施の形態による物干し用ピンチ１Ａと同様の作用、効果が発揮されて、物干し用ピンチ１Ｄを拡開する際の力Ｆを小さくすることができ、挟持作用部３の必要な拡開量Ｅが維持できる使い勝手の良い物干し用ピンチ１Ｄを挟持することが可能になる。
【００４７】
（５）他の実施の形態
本発明の物干し用ピンチ１は、上述した実施の形態のものに限定されず、その発明の要旨内での変更が可能である。
例えば、前記４つの実施の形態ではすべての側面視Ｃ形の円形リング状の挟持ばね２１を１本ずつ使用したものを示したが、同様の構成の挟持ばね２１を幅方向に複数本並設した構成の物干し用ピンチ１とすることも可能であるし、図２９に示すようなスライド嵌込み式の側面視略コ字形状の角形リングによって構成される挟持ばね２１Ｅを備えた物干し用ピンチ１Ｅとすることも可能である。
【００４８】
また、凹状回動部９の凹面１７の形状は、前述した実施の形態のような円弧面に限らず、上記回転円２３の円周に近似する曲面または屈曲した傾斜面等によって構成することが可能である。この場合には、凹面を円弧面によって形成した場合と同様の動きを一対のピンチ片に持たせることができ、凹面の成形を容易にする効果が得られるようになる。
【００４９】
また、回転円２３の回転中心Ｏの位置は、必ずしも固定されていなくても良く、対向して配置される開閉作用部５、５の接近方向への移動に伴って、上記一対のピンチ片１１、１３の一端に設けられる挟持作用部３、３側に移動するように構成することが可能である。この場合には、開閉操作部を接近方向に移動させて行くと、回転中心から開閉操作部までの長さが徐々に長くなるため、開閉操作部にかける力を一層小さくすることができる。
【産業上の利用可能性】
【００５０】
本発明の物干し用ピンチは、洗濯物やマット或いは布団等を物干し竿や物干し具或いはベランダの手すり等に吊り下げる場合に使用される物干し用ピンチの製造、使用分野やその他の挟持対象物を挟持するためのピンチの製造、使用分野等において、小さな力で開閉でき、挟持作用部の必要な拡開量を確保し得る小型で使い勝手の良いピンチを提供したい場合に利用可能性を有する。
【符号の説明】
【００５１】
１  物干し用ピンチ
３  挟持作用部
５  開閉操作部
７  凸状回動部
９  凹状回動部
１１  ピンチ片
１３  ピンチ片
１５  凸面
１７  凹面
１９  連結用回動部
２１  挟持ばね
２３  回転円
２５  凹凸係合構造
２７  スリット
２９  係止穴
３１  支持構造
３３  連結具
３５  第２挟持作用部
３７  第１凹部
３９  第２凹部
４０  台座
４１  支持構造
４３  アーム
４５  アーム
４７  凹陥部
５０  台座
５１  支持構造
Ｗ  挟持対象物
Ｐ  吊下げ部
Ｃ  挟持方向
Ｒ  半径
Ｏ  回転中心
Ｆ  力
Ｓ  前方空間
Ｄ  拡開方向
Ｅ  拡開量
Ｇ  所定量
【図１】
2017153832.tif 000003
【図２】
2017153832.tif 000004
【図３】
2017153832.tif 000005
【図４】
2017153832.tif 000006
【図５】
2017153832.tif 000007
【図６】
2017153832.tif 000008
【図７】
2017153832.tif 000009
【図８】
2017153832.tif 000010
【図９】
2017153832.tif 000011
【図１０】
2017153832.tif 000012
【図１１】
2017153832.tif 000013
【図１２】
2017153832.tif 000014
【図１３】
2017153832.tif 000015
【図１４】
2017153832.tif 000016
【図１５】
2017153832.tif 000017
【図１６】
2017153832.tif 000018
【図１７】
2017153832.tif 000019
【図１８】
2017153832.tif 000020
【図１９】
2017153832.tif 000021
【図２０】
2017153832.tif 000022
【図２１】
2017153832.tif 000023
【図２２】
2017153832.tif 000024
【図２３】
2017153832.tif 000025
【図２４】
2017153832.tif 000026
【図２５】
2017153832.tif 000027
【図２６】
2017153832.tif 000028
【図２７】
2017153832.tif 000029
【図２８】
2017153832.tif 000030
【図２９】
2017153832.tif 000031
【図３０】
2017153832.tif 000032
【図３１】
2017153832.tif 000033